(57)【特許請求の範囲】
【請求項１】
遊技盤面に配され、前記遊技盤面を流下する遊技球が入球する始動口と、
前記遊技盤面に配され、周面に図柄が描画されたリール、前記リールを回転させるモータ、及び演出用の電気部品を有する演出装置と、
前記モータを動作させる制御信号を生成する第１駆動手段と、
前記電気部品を動作させる制御信号を生成する第２駆動手段と、
前記遊技球が前記始動口に入球すると、遊技者に有利な遊技状態を生起させるか否かの判定を行い、前記リールと前記電気部品とによって判定結果を通知する通知演出を実行させるための制御コマンドを送信する主制御部と、
前記主制御部から送信される制御コマンドに基づいて、前記通知演出が実行されるように前記第１駆動手段及び前記第２駆動手段に制御信号を送信する副制御部と、
前記第２駆動手段を有し、前記副制御部から送信された前記第２駆動手段の制御信号に基づいて前記第２駆動手段で前記電気部品を動作させる制御信号を生成し、前記第２駆動手段で生成した制御信号を送信する第１ドライバ基板と、
前記第１駆動手段を有し、前記副制御部から送信された前記第１駆動手段の制御信号に基づいて前記第１駆動手段で前記モータを動作させる制御信号を生成し、前記第１駆動手段で生成した制御信号である第１制御信号を送信し、且つ、前記第１ドライバ基板から送信された制御信号である第２制御信号を送信する中継基板と、
前記演出装置に設けられ、前記中継基板から送信された前記第１制御信号を前記モータに送信し、且つ、前記中継基板から送信された前記第２制御信号を前記電気部品に送信するリール中継基板と、を備え、
前記副制御部と前記第１ドライバ基板との間、及び前記第１ドライバ基板と前記中継基板との間は、双方向に信号の送信が可能となっており、
前記副制御部は、前記第１駆動手段の制御信号をパラレル伝送方式で送信し、前記第２駆動手段の制御信号をシリアル伝送方式で送信することを特徴とする遊技機。
【請求項２】
前記第１駆動手段及び前記第２駆動手段は、前記演出装置と別体としたことを特徴とする請求項１に記載の遊技機。
【発明の詳細な説明】
【技術分野】
【０００１】
本発明は、パチンコ機等の遊技機に関する。
【背景技術】
【０００２】
従来、遊技機としては、例えば、特許文献１に記載のパチンコ機がある。
特許文献１に記載のパチンコ機では、主制御基板、副制御基板、及びリール制御基板を備える。そして、遊技球が始動口に入球すると、主制御基板が、大当り状態を生起させるか否かの抽選を行い、抽選結果を通知する演出の実行を指示する制御コマンドを副制御基板に送信する。続いて、副制御基板が、主制御基板から送信された制御コマンドを解析し、解析結果に基づいて演出図柄表示装置が有する複数のリールの回転・停止や当該複数のリールの電飾の点灯・消灯を指示する制御コマンドをリール制御基板へ送信する。続いて、リール制御基板が、副制御基板から送信された制御コマンドを解析し、解析結果に基づいて演出図柄表示装置が有する複数のリールを回転させた後に各リールの回転を順次停止させる。これにより、前記抽選結果を表す図柄を表示させる。
【先行技術文献】
【特許文献】
【０００３】
【特許文献１】特開２００９−２１９５４６号公報
【発明の概要】
【発明が解決しようとする課題】
【０００４】
しかしながら、上記特許文献１に記載の遊技機では、主制御基板と副制御基板とに加え、さらにリール制御基板を備えるため、遊技機の制御部が大型化する問題があった。これにより、製造コストの増大や取り扱いが困難となる等の問題があった。
本発明は、上記の点に着目し、遊技機の制御部を小型化可能とすることを課題とする。
【課題を解決するための手段】
【０００５】
本発明の一態様は、
遊技盤面に配され、前記遊技盤面を流下する遊技球が入球する始動口と、前記遊技盤面に配され、周面に図柄が描画されたリール、前記リールを回転させるモータ、及び演出用の電気部品を有する演出装置と、前記モータを動作させる制御信号を生成する第１駆動手段と、前記電気部品を動作させる制御信号を生成する第２駆動手段と、前記遊技球が前記始動口に入球すると、遊技者に有利な遊技状態を生起させるか否かの判定を行い、前記リールと前記電気部品とによって判定結果を通知する通知演出を実行させるための制御コマンドを送信する主制御部と、前記主制御部から送信される制御コマンドに基づいて、前記通知演出が実行されるように前記第１駆動手段及び前記第２駆動手段に制御信号を送信する副制御部と、前記第２駆動手段を有し、前記副制御部から送信された前記第２駆動手段の制御信号に基づいて前記第２駆動手段で前記電気部品を動作させる制御信号を生成し、前記第２駆動手段で生成した制御信号を送信する第１ドライバ基板と、前記第１駆動手段を有し、前記副制御部から送信された前記第１駆動手段の制御信号に基づいて前記第１駆動手段で前記モータを動作させる制御信号を生成し、前記第１駆動手段で生成した制御信号である第１制御信号を送信し、且つ、前記第１ドライバ基板から送信された制御信号である第２制御信号を送信する中継基板と、前記演出装置に設けられ、前記中継基板から送信された前記第１制御信号を前記モータに送信し、且つ、前記中継基板から送信された前記第２制御信号を前記電気部品に送信するリール中継基板と、を備え、前記副制御部と前記第１ドライバ基板との間、及び前記第１ドライバ基板と前記中継基板との間は、双方向に信号の送信が可能となっており、前記副制御部は、前記第１駆動手段の制御信号をパラレル伝送方式で送信し、前記第２駆動手段の制御信号をシリアル伝送方式で送信することを特徴とする。
【０００６】
このような構成によれば、リールを駆動するモータ以外の電気部品である、演出用の電気部品を動作させる第２駆動手段の制御信号の伝送にシリアル伝送方式を採用した。それゆえ、遊技機の制御部の回路数及び信号線数等、遊技機の制御部の部品数を低減することができ、遊技機の制御部をより小型化することができる。また、リールを駆動するモータを動作させる第１駆動手段の制御信号の伝送にパラレル伝送方式を採用した。それゆえ、第１駆動手段の制御信号にノイズが混入しても、混入したノイズによるリールの誤動作を抑制することができる。
したがって、遊技機の制御部を小型化可能とすることができる。
【０００７】
本発明の他の態様は、
前記第１駆動手段及び前記第２駆動手段は、前記演出装置と別体としたことを特徴とする。
このような構成によれば、モータやモータ以外の演出用の電気部品を動作させる回路を演出装置に設けずに済む。それゆえ、演出装置の回路数を低減でき、演出装置をより小型化することができる。
したがって、演出装置の価格を低減可能とすることができる。
【図面の簡単な説明】
【００１０】
【図１】パチンコ機１の構成を示す概略図である。
【図２】演出図柄表示装置１０４が備える機械式リール１０４ａの構造を示す図である。
【図３】リールユニット１０の構造を示す図である。
【図４】リールテープ１４が巻き付けられる過程のリールユニット１０を示す斜視図である。
【図５】リールテープ１４の構成例を示す図である。
【図６】パチンコ機の内部構成を示すブロック図である。
【図７】パチンコ機の内部構成を示すブロック図である。
【図８】第一始動情報記憶領域及び第二始動情報記憶領域を説明するための図である。
【図９】特別図柄の停止図柄の態様を示す図である。
【図１０】制御コマンドのデータ構造を示す図である。
【図１１】制御コマンドの入出力タイミングを示すタイミングチャートである。
【図１２】主制御基板２１０から副制御基板１５０に出力される演出制御コマンドの内容を示す図である。
【図１３】遊技制御処理を示すフローチャートである。
【図１４】副制御基板が実行する演出制御処理を示すフローチャートである。
【図１５】シリアル伝送方式を説明するための説明図である。
【図１６】比較例となる制御信号を説明するための説明図である。
【発明を実施するための形態】
【００１１】
以下、図を参照して本発明を適用した遊技機の実施の形態を説明する。
（構成）
図１は、本発明に係るパチンコ機１の構成を示す概略図である。
本実施形態では、本発明に係る遊技機を、図１に示すように、演出図柄表示装置１０４で複数の図柄を変動表示するパチンコ機１に適用している。
【００１２】
（遊技盤面の構成）
まず、パチンコ機１における遊技盤面１０２の構成を説明する。
図１は、パチンコ機における遊技盤面の正面部、特に説明に必要な部分を模式的に示した図である。
図１に示すように、遊技盤面１０２のほぼ中央部には、機械式のリールによって演出画像を表示することが可能な演出図柄表示装置１０４が設けられている。演出図柄表示装置１０４は、周面に複数の図柄が描画された円筒状のリールをモータで回転させることによって図柄を変動表示させる（図５参照）。
【００１３】
演出図柄表示装置１０４は、３つのリール３５０Ａ（左リール）、３５０Ｂ（中リール）、３５０Ｃ（右リール）における図柄を視認可能とする表示窓３１４を有し、表示窓３１４には、それぞれにおいて演出図柄Ｚ１（図５参照）を独立して表示することが可能な３つの領域Ｒ１、Ｒ２、Ｒ３が形成されている。これら３つの領域Ｒ１、Ｒ２、Ｒ３は、３つのリール３５０Ａ、３５０Ｂ、３５０Ｃと対応している。
【００１４】
第１から第３の領域Ｒ１、Ｒ２、Ｒ３のそれぞれでは、リール３５０Ａ、３５０Ｂ、３５０Ｃに描かれた演出図柄Ｚ１の変動表示及び停止表示が行われる。ここで、演出図柄Ｚ１は、数字を含んで構成される。本実施形態では、演出図柄Ｚ１は、数字及び図柄から構成されている。そして、演出図柄Ｚ１の変動表示とは、第１から第３の領域Ｒ１、Ｒ２、Ｒ３のそれぞれにおいて、複数種類の演出図柄Ｚ１をスクロールさせた状態で表示することをいう。また、演出図柄Ｚ１の停止表示とは、第１から第３の領域Ｒ１、Ｒ２、Ｒ３のそれぞれにおいて、演出図柄Ｚ１を停止させた状態で表示することをいう。
【００１５】
そして、演出図柄表示装置１０４では、第１から第３の領域Ｒ１、Ｒ２、Ｒ３で停止表示される演出図柄Ｚ１の組み合わせによって、当たり抽選の結果を通知する。
演出図柄表示装置１０４の下方には、遊技球を左右方向及び前後方向に転動させることが可能なステージ１０８が設けられている。また、演出図柄表示装置１０４の左側には、流入した遊技球をステージ１０８に放出させるワープ入口１１２が設けられている。ステージ１０８は、前面側が開放しており、放出された遊技球を転動させた後、遊技盤面１０２に放出する。また、ステージ１０８の左右方向の中央部の奥側には、遊技球導出路１０８ａが設けられている。そして、遊技球導出路１０８ａに流入した遊技球は、遊技盤面１０２における、後述する第一始動入賞口１１１ａの真上に導出される。
【００１６】
演出図柄表示装置１０４の左側には、普通図柄始動ゲート１２２が設けられている。普通図柄始動ゲート１２２は、遊技球が通過すると、パチンコ機１内部の始動ゲートスイッチ（図示せず）の検出信号により遊技球の入賞を検知し、普通図柄による抽選の契機を与える。また、普通図柄始動ゲート１２２の下方には、遊技球を常時入賞可能とする２つの一般入賞口１２４、１２５が設けられている。
【００１７】
演出図柄表示装置１０４の下方には、始動入賞装置１１１が設けられている。始動入賞装置１１１は、第一始動入賞口１１１ａ、及び第一始動入賞口１１１ａの下側に設けられた第二始動入賞口１１１ｂを有している。第一始動入賞口１１１ａは、常時、遊技球が入賞可能となるように上向きに開口した入賞口（いわゆるヘソ）である。第二始動入賞口１１１ｂは、入賞確率を変更することが可能な電動役物（いわゆる電動チューリップ）である。第二始動入賞口１１１ｂは、通常時は、遊技球が入賞することができないように閉止状態であるが、普通図柄表示装置１０６の表示が特定の態様となったときに、所定パターンで開放状態となって遊技球を入賞可能とする。
【００１８】
第一始動入賞口１１１ａは、遊技球が入賞すると、パチンコ機１内部の第一始動入賞口スイッチ１３１ａ（図６参照）の検出信号により遊技球の入賞を検知し、演出図柄表示装置１０４における演出図柄Ｚ１の変動表示開始の契機及び特別図柄表示装置１０７ａにおける特別図柄の変動表示開始の契機を与える。また、第二始動入賞口１１１ｂは、遊技球が入賞すると、パチンコ機１内部の第二始動入賞口スイッチ１３１ｂ（図６参照）の検出信号により遊技球の入賞を検知し、演出図柄表示装置１０４における演出図柄Ｚ１の変動表示開始の契機及び特別図柄表示装置１０７ｂにおける特別図柄の変動表示開始の契機を与える。特別図柄及び演出図柄Ｚ１の変動表示は、所定の変動時間経過後に停止し、当たり抽選の結果の通知や演出が行われる。
【００１９】
始動入賞装置１１１の右側には、２つの特別図柄表示装置１０７ａ、１０７ｂが設けられている。各特別図柄表示装置１０７ａ、１０７ｂは、例えば、液晶ディスプレイ又はＣＲＴディスプレイ等の可変表示装置、７セグメントＬＥＤ、ドットマトリクスＬＥＤ等によって構成される。各特別図柄表示装置１０７ａ、１０７ｂは、数字や図柄等からなる特別図柄の変動表示及び停止表示を行うことが可能となっている。そして、各特別図柄表示装置１０７ａ、１０７ｂは、停止表示された特別図柄によって、当たり抽選の結果を通知する。この際、特別図柄表示装置１０７ａは、第一始動入賞口１１１ａへの遊技球の入賞を契機として行われた当たり抽選の結果を通知する。また、特別図柄表示装置１０７ｂは、第二始動入賞口１１１ｂへの遊技球の入賞を契機として行われた当たり抽選の結果を通知する。ここで、各特別図柄表示装置１０７ａ、１０７ｂにおいて停止表示された特別図柄が特定の図柄となって生起する遊技状態を「特賞状態（当たり）」という。特賞状態とは、遊技者へ多数の賞球を払い出す等の所定の遊技価値を付与する有利な遊技状態をいう。また、各特別図柄表示装置１０７ａ、１０７ｂにおける特別図柄の表示と、演出図柄表示装置１０４における演出図柄Ｚ１の表示とは、互いに対応付けられている。
【００２０】
特別図柄表示装置１０７ａ、１０７ｂの右側には、普通図柄表示装置１０６が設けられている。普通図柄表示装置１０６は、例えば、液晶ディスプレイ又はＣＲＴディスプレイ等の可変表示装置、７セグメントＬＥＤ、ドットマトリクスＬＥＤ等によって構成される。普通図柄表示装置１０６は、数字や図柄等からなる普通図柄の変動表示及び停止表示を行うことが可能となっている。そして、普通図柄表示装置１０６は、停止表示された普通図柄によって、普通図柄による抽選の結果を通知する。
【００２１】
特別図柄表示装置１０７ａ、１０７ｂの上側には、特別図柄始動情報記憶数表示装置１０９ａ、１０９ｂ及び普通図柄始動情報記憶数表示装置１０３が設けられている。特別図柄始動情報記憶数表示装置１０９ａ、１０９ｂ及び普通図柄始動情報記憶数表示装置１０３は、それぞれ、例えば、ＬＥＤ等によって構成されている。
特別図柄始動情報記憶数表示装置１０９ａ、１０９ｂは、後述する特別図柄の始動情報が主制御基板２１０のＲＡＭ２４０における特別図柄用の始動情報記憶領域に記憶されることに連動して点灯し、連続して特別図柄及び演出図柄Ｚ１の変動表示を行うことが可能な回数（以下、始動情報記憶数（いわゆる、保留玉数）という）を表示する。ここで、パチンコ機１では、第一始動入賞口１１１ａへの遊技球の入賞を契機とする始動情報記憶数及び第二始動入賞口１１１ｂへの遊技球の入賞を契機とする始動情報記憶数を、それぞれ個別に表示する。すなわち、第一始動入賞口１１１ａへの遊技球の入賞を契機とする始動情報記憶数を特別図柄始動情報記憶数表示装置１０９ａに表示するとともに、第二始動入賞口１１１ｂへの遊技球の入賞を契機とする始動情報記憶数を特別図柄始動情報記憶数表示装置１０９ｂに表示する。
【００２２】
普通図柄始動情報記憶数表示装置１０３は、普通図柄の始動情報が主制御基板２１０のＲＡＭ２４０における普通図柄用の始動情報記憶領域に記憶されることに連動して点灯し、連続して普通図柄の変動表示を行うことが可能な回数を表示する。
始動入賞装置１１１の下方には、大入賞口１１５が設けられている。大入賞口１１５は、通常時は閉止状態であるが、特賞状態が生起されたときに、所定パターンで開放状態となることによって遊技球を入賞可能とする。すなわち、大入賞口１１５は、特別図柄表示装置１０７ａ、１０７ｂに停止表示された特別図柄が特定の図柄となり特賞状態が生起された際に、大入賞口１１５の前面に設置された開閉部材１１５ａを開くことにより開放動作を行う。
【００２３】
大入賞口１１５の開放動作は、所定の時間（例えば、３０秒）経過するか、所定数（例えば１０個等）の遊技球が入賞するまで（１ラウンド）継続する。また、大入賞口１１５の開放動作は、特賞状態の種類に応じて設定されたラウンド数だけ繰り返し行われる。そして、大入賞口１１５に遊技球が入賞すると、パチンコ機１内部の大入賞口スイッチ１３２（図６参照）の検出信号により入賞した遊技球数が検出され、入賞した遊技球数に応じて賞球を払い出す。
【００２４】
そして、大入賞口１１５の下方であって遊技盤面１０２の最下方には、いずれの入賞口にも入賞しなかった遊技球を回収するためのアウト口１１０が設けられている。
なお、遊技盤面１０２においては、各入賞口に遊技球を導くように複数の釘（図示せず）が配置されている。
また、以下、特賞状態（当たり）の終了後に当たり抽選の当選確率が低確率（通常確率）となる遊技状態を「低確率状態」といい、特賞状態の終了後に当たり抽選の当選確率が低確率状態と比較して高確率（例えば、通常確率の１０倍）となる遊技状態を「確率変動状態」という。また、特別図柄及び演出図柄Ｚ１の変動時間が短縮する遊技状態を「時短状態」という。時短状態では、普通図柄の抽選確率が通常時の抽選確率と比較して高確率（例えば、１０倍）になるとともに、第二始動入賞口１１１ｂの開放時間が通常時の開放時間と比較して延長される。
【００２５】
（演出図柄表示装置１０４のリール構造）
次に、演出図柄表示装置１０４が備える機械式リールの具体的構造について説明する。
図２は演出図柄表示装置１０４が備える機械式リール１０４ａの構造を示す図である。
図２に示すように、機械式リール１０４ａは、３セットのリールユニット１０Ａ、１０Ｂ、１０Ｃが軸線方向に配列された構造とされている。
各リールユニット１０Ａ、１０Ｂ、１０Ｃには、リール本体１２とリールテープ１４とで構成されたリール３５０Ａ、３５０Ｂ、３５０Ｃが設けられており、このリール３５０Ａ、３５０Ｂ、３５０Ｃの一部（各リールにおいて３図柄分）が表示窓３１４（図１参照）から露見されるようになっている。
【００２６】
以下、リールユニット１０Ａ、１０Ｂ、１０Ｃは同一構造であるため、その内の１つのリールユニット１０Ａ（以下、単に「リールユニット１０」という）を例にとり構造を説明する。
図３は、リールユニット１０の構造を示す図である。
また、図４は、リールテープ１４が巻き付けられる過程のリールユニット１０を示す斜視図である。
【００２７】
図３及び図４に示すように、リールユニット１０は、主要部が薄型円形のベースブラケット１６を備えており、その中心部には、リールモータ１８が取り付けられている。リールモータ１８は、副制御基板１５０の表示制御部１５１によって駆動制御される。また、リールモータ１８は、例えばロータに備えられた遮光板の通過をフォトインタラプタで検出する方式等による原点検出機能を備えており、ロータが原点位置を通過したことを検出可能である。リールモータ１８によって検出される原点位置は表示制御部１５１に入力され、表示制御部１５１は、この原点位置と、入力したステップ数とによって、リール３５０Ａ、３５０Ｂ、３５０Ｃの現在の回転位置を検出可能である。
【００２８】
リールモータ１８の回転軸には、リール本体１２を構成する軸芯２０が取り付けられている。軸芯２０は円筒形状で、その周面からは、半径方向に９０°ピッチで４本のラジアルフレーム２２が取り付けられている。なお、軸芯２０とラジアルフレーム２２とは樹脂一体成形であってもよい。
ラジアルフレーム２２の先端部には、一対のリングフレーム２４の内の一方（一方のリングフレーム２４）が取り付けられている。
【００２９】
一対のリングフレーム２４の他方（他方のリングフレーム２４）は、前記ベースブラケット１６に近接して設けられ、かつ前記一方のリングフレーム２４と同軸上とされている。この一対のリングフレーム２４は、複数のラダーフレーム２６によって連結されている。この一対のリングフレーム２４と複数のラダーフレーム２６、並びに前記軸芯２０により、円筒形状輪郭の骨組みである前記リール本体１２が構成される。また、上記構成によって、前記軸芯２０及びリールモータ１８は、このリール本体１２の内方空間側に位置することになる。
なお、前記ラダーフレーム２６は、一対のリングフレーム２４の周方向に沿って、均一のピッチで配設されており、その間隔は、リールテープ１４に付与された図柄ピッチに比例している。
【００３０】
ここで、リールモータ１８の駆動力で軸芯２０が回転すると、リール本体１２が回転する。
前記複数のラダーフレーム２６の内の１つには、リール本体１２の軸線方向と平行なスリット孔２８が設けられている。このスリット孔２８には、リールテープ１４の端部が挿入されるようになっている（図４参照）。
リールテープ１４は、帯状のシート体であり、その長手方向に亘って、複数（ここでは１２個）の図柄が均等ピッチで付与されている。
【００３１】
図５は、リールテープ１４の構成例を示す図である。
図５においては、リール３５０Ａ、３５０Ｂ、３５０Ｃに設置されるリールテープ１４をそれぞれ「左」、「中」、「右」のリールテープとして示している。
図５に示すように、リールテープ１４には、図柄番号０〜１１に対応する複数の図柄「１」〜「７」、「チェリー」あるいはそれ以外の「はずれ図柄」（これらを総称して「演出図柄Ｚ１」と称する。）が描画されている。
【００３２】
また、図５に示す例では、リール３５０Ａ、３５０Ｂ、３５０Ｃに設置される各リールテープ１４の図柄の配置は、それぞれ異なるものとされている。
図６及び図７は、パチンコ機の内部構成を示すブロック図である。
図６に示すように、パチンコ機１は、第一始動入賞口スイッチ１３１ａ、第二始動入賞口スイッチ１３１ｂ、大入賞口スイッチ１３２及び各種入賞口スイッチ１３３を備える。
【００３３】
第一始動入賞口スイッチ１３１ａは、第一始動入賞口１１１ａへの遊技球の入賞を検出し、検出信号を主制御基板２１０に出力する。第二始動入賞口スイッチ１３１ｂは、第二始動入賞口１１１ｂへの遊技球の入賞を検出し、検出信号を主制御基板２１０に出力する。大入賞口スイッチ１３２は、大入賞口１１５への遊技球の入賞を検出し、検出信号を主制御基板２１０に出力する。各種入賞口スイッチ１３３は、普通図柄始動ゲート１２２への遊技球の通過等を検出し、検出信号を主制御基板２１０に出力する。
【００３４】
また、パチンコ機１は、主制御基板２１０、副制御基板１５０、第１ドライバ基板１６０、第２ドライバ基板１７０、中継基板１８０、左リール中継基板１９０、左リールモータ１９１、左リールモータ位置検出センサ１９２、左リール電飾基板１９３、中リール中継基板１９４、中リールモータ１９５、中リールモータ位置検出センサ１９６、中リール電飾基板１９７、右リール中継基板１９８、右リールモータ１９９、右リールモータ位置検出センサ２００、及び右リール電飾基板２０１を備える。
【００３５】
不正行為防止等のため、主制御基板２１０及び副制御基板１５０は、それぞれ別々の基板に実装される。また、主制御基板２１０から副制御基板１５０への一方向にのみデータの送信が可能となっている。
主制御基板２１０は、主として、第一始動入賞口１１１ａへの遊技球の入賞の検出及び第二始動入賞口１１１ｂへの遊技球の入賞の検出に応じて、各種の乱数を発生（抽出）させる。そして、主制御基板２１０は、発生させた各種乱数に基づいて、制御コマンドの送信及び遊技全体の制御を行う。また、主制御基板２１０は、特別図柄表示装置１０７ａ、１０７ｂ、普通図柄表示装置１０６、特別図柄始動情報記憶数表示装置１０９ａ、１０９ｂ、普通図柄始動情報記憶数表示装置１０３、賞球払出制御装置１５６、大入賞口ソレノイド１５７及び電動チューリップ（図示せず）を直接制御（ポート出力制御）する。
【００３６】
主制御基板２１０は、ＣＰＵ２２０、ＲＯＭ２３０、ＲＡＭ２４０、入力ポート２５０、及び出力ポート２５５を備える。
入力ポート２５０は、第一始動入賞口スイッチ１３１ａ、第二始動入賞口スイッチ１３１ｂ、大入賞口スイッチ１３２及び各種入賞口スイッチ１３３のそれぞれから出力された検出信号をＣＰＵ２２０に出力する。
【００３７】
出力ポート２５５は、副制御基板１５０、特別図柄表示装置１０７ａ、１０７ｂ、普通図柄表示装置１０６、特別図柄始動情報記憶数表示装置１０９ａ、１０９ｂ、普通図柄始動情報記憶数表示装置１０３、賞球払出制御装置１５６及び大入賞口ソレノイド１５７のそれぞれに制御コマンドや制御信号を出力する。また、出力ポート２５５は、パチンコ機１の出玉情報や異常信号をホールコンピュータ５００に出力する。これにより、ホールコンピュータ５００においてパチンコ機１の遊技状況等を遠隔監視する。
ＲＯＭ２３０には、主制御基板２１０で実行されるパチンコ機１を制御するためのプログラム、遊技制御用のデータ等が記憶されている。遊技制御用のデータには、副制御基板１５０を制御するための各種制御コマンド等が含まれる。ここで、各種制御コマンドとしては、図柄指定コマンド、変動パターンコマンド、始動情報記憶数コマンド等がある。
【００３８】
ＲＡＭ２４０は、主制御基板２１０に対する入出力データ、演算処理のためのデータ、遊技に関連する乱数カウンタを始めとする各種カウンタ、抽選結果や遊技状態を管理するフラグ等を一時的に記憶する。また、ＲＡＭ２４０は、特別図柄用の始動情報記憶領域及び普通図柄用の始動情報記憶領域を有する。ここで、特別図柄用の始動情報記憶領域には、第一始動入賞口１１１ａへの遊技球の入賞を契機として取得される始動情報（以下、第一始動情報とする）を記憶する領域（以下、第一始動情報記憶領域とする）及び第二始動入賞口１１１ｂへの遊技球の入賞を契機として取得される始動情報（以下、第二始動情報とする）を記憶する領域（以下、第二始動情報記憶領域とする）が設けられている。ここで、始動情報とは、始動入賞口１１１ａ、１１１ｂへの遊技球の入賞を契機として取得された各種乱数値等の情報（例えば、当たり決定乱数、当たり種別決定乱数、停止図柄決定乱数、リーチ決定乱数、変動パターン決定乱数等）をいう。これにより、特別図柄用の始動情報記憶領域では、第一始動情報及び第二始動情報が、それぞれ個別に記憶される。
【００３９】
図８は、第一始動情報記憶領域及び第二始動情報記憶領域を説明するための図である。
第一始動情報記憶領域及び第二始動情報記憶領域は、それぞれ、始動情報を所定上限数（所定数）まで記憶する。本実施形態では、図８に示すように、第一始動情報記憶領域は、１番目から４番目までの４つの記憶部（Ａ１からＡ４）を有しており、それぞれの記憶部に第一始動情報を記憶することにより、４つの第一始動情報を記憶する。また、第二始動情報記憶領域は、１番目から４番目までの４つの記憶部（Ｂ１からＢ４）を有しており、それぞれの記憶部に第二始動情報を記憶することにより、４つの第二始動情報を記憶する。ここで、主制御基板２１０は、第一始動情報記憶領域及び第二始動情報記憶領域のそれぞれに記憶されている始動情報について、１番目の記憶部に記憶されている始動情報から順に当たり判定を行って消化する。
【００４０】
また、普通図柄の始動情報記憶領域には、普通図柄始動ゲート１２２への遊技球の通過を契機として取得された乱数等の情報が所定上限数（本実施形態では、４つ）まで記憶される。
また、ＲＡＭ２４０は、副制御基板１５０等に出力すべき制御コマンドを一時的に記憶しておくためのコマンド記憶領域を有する。そして、パチンコ機１では、ＲＡＭ２４０にバックアップ電源を備えており、停電等による電源遮断が発生した場合、停電から復帰した際に、ＲＡＭ２４０のコマンド記憶領域に記憶されている出力すべき制御コマンドを出力することにより、遊技状態を電源遮断前の状態に復帰させる。
【００４１】
また、主制御基板２１０には、電源供給を行うための電源回路２１２が接続されている。
副制御基板１５０は、主制御基板２１０と同様に、ＣＰＵ、ＲＯＭ、ＲＡＭ、入力ポート及び出力ポートを備える。
副制御基板１５０のＲＯＭには、演出を制御するためのプログラム、各種データ等が記憶されている。副制御基板１５０のＲＡＭには、主制御基板２１０から入力された制御コマンド、演算処理を行うためのデータ等が一時的に記憶される。副制御基板１５０のＣＰＵは、ＲＯＭに記憶されたプログラムにしたがって処理を実行することにより、表示制御部１５１による演出図柄表示装置１０４の制御、ランプ制御部１５２による後述する第１電飾基板１６２及び第２電飾基板１７２の制御、及び可動役物制御部１５３による後述するモータ１６３及びソレノイド１７３の制御を行う。
【００４２】
副制御基板１５０は、演出図柄表示装置１０４における表示を制御する表示制御部１５１、第１電飾基板１６２及び第２電飾基板１７２によるＬＥＤ（不図示）の点灯、点滅等を制御するランプ制御部１５２、並びにモータ１６３及びソレノイド１７３を制御する可動役物制御部１５３を備える。副制御基板１５０は、主制御基板２１０から受信した制御コマンドにしたがって副制御基板１５０内で送信される内部コマンドを生成し、該内部コマンドを送信することによって、表示制御部１５１、ランプ制御部１５２及び可動役物制御部１５３のそれぞれを制御する。
【００４３】
特に、副制御基板１５０は、主制御基板２１０から受信した制御コマンドにしたがって、表示制御コマンドを生成する。そして、副制御基板１５０は、生成した表示制御コマンドを表示制御部１５１に送信することにより、表示制御部１５１を制御する。
ランプ制御部１５２は、副制御基板１５０から入力される内部コマンドに応じて、実行すべきランプ演出を決定し、決定したランプ演出に対応する制御データをＲＯＭから読み出し、読み出した制御データに基づき第１電飾基板１６２及び第２電飾基板１７２によるランプの点灯、点滅、消灯等を行う。具体的には、ランプ制御部１５２は、ランプ演出を制御するためのプログラムを実行することにより、ランプの点灯パターンを表す後述するドライバ用ＩＣ１６１、１７１の制御信号を第１ドライバ基板１６０及び中継基板１８０に出力し、内部コマンドに応じたランプの点灯、点滅、消灯等の制御を行う。
【００４４】
可動役物制御部１５３は、ＣＰＵ(Central Processing Unit)、ＲＯＭ（Read Only Memory）、ＲＡＭ（Random Access Memory）、入力ポート及び出力ポートを備える。
可動役物制御部１５３のＲＯＭには、可動役物（不図示）に遊技状態を演出する動作を行わせる可動役物演出を制御するためのプログラム、モータ１６３及びソレノイド１７３を制御するための各種データ（例えば励磁パターンのデータ）等が記憶されている。可動役物制御部１５３のＲＡＭには、ＣＰＵに対する入出力データや演算処理のためのデータが一時的に記憶され、ワークエリアやバッファメモリとして機能する。
【００４５】
可動役物制御部１５３のＣＰＵは、副制御基板１５０から入力された内部コマンドに応じて、ＲＯＭに記憶されたプログラムを実行し、該内部コマンドに応じたモータ１６３及びソレノイド１７３の制御を行う。具体的には、可動役物制御部１５３のＣＰＵは、可動役物演出を制御するためのプログラムを実行することにより、モータ１６３の励磁パターン及びソレノイド１７３の動作を表すドライバ用ＩＣ１６１、１７１の制御信号の制御信号を第１ドライバ基板１６０に出力し、内部コマンドに応じた可動役物の制御を行う。
【００４６】
表示制御部１５１は、ＣＰＵ、ＲＯＭ、ＲＡＭ、入力ポート及び出力ポートを備える。
表示制御部１５１のＲＯＭには、表示演出を制御するためのプログラム、左リールモータ１９１、中リールモータ１９５、右リールモータ１９９、左リール電飾基板１９３、中リール電飾基板１９７、右リール電飾基板２０１を制御するための各種データ（例えば励磁パターンのデータ）等が記憶されている。左リールモータ１９１とは、リール３５０Ａのリールモータ１８である。中リールモータ１９５とは、リール３５０Ｂのリールモータ１８である。右リールモータ１９９とは、リール３５０Ｃのリールモータ１８である。表示制御部１５１のＲＡＭには、ＣＰＵに対する入出力データや演算処理のためのデータが一時的に記憶され、ワークエリアやバッファメモリとして機能する。
【００４７】
表示制御部１５１のＣＰＵは、副制御基板１５０から入力された表示制御コマンドに応じて、ＲＯＭに記憶されたプログラムを実行し、該表示制御コマンドに応じた左リールモータ１９１、中リールモータ１９５、右リールモータ１９９の制御を行う。具体的には、表示制御部１５１のＣＰＵは、表示演出を制御するためのプログラムを実行することにより、左リールモータ１９１、中リールモータ１９５、右リールモータ１９９の励磁パターンを表す後述するドライバ用ＩＣ１８１の制御信号を中継基板１８０に出力し、表示制御コマンドに応じたリール３５０Ａ、３５０Ｂ、３５０Ｃの制御を行う。また、左リール電飾基板１９３、中リール電飾基板１９７、右リール電飾基板２０１によるランプの点灯パターンを表すドライバ用ＩＣ１６１、１７１の制御信号を第１ドライバ基板１６０に出力し、内部コマンドに応じたランプの点灯、点滅、消灯等の制御を行う。
【００４８】
（特別図柄及び演出図柄の停止表示の態様）
次に、特別図柄表示装置１０７ａ、１０７ｂにおける特別図柄の停止表示の態様及び演出図柄表示装置１０４における演出図柄Ｚ１の停止表示の態様を説明する。
図９は、特別図柄の停止図柄の態様を示す図である。
パチンコ機１においては、図９に示すように、当たり（特賞状態）の種別として、「通常大当たり」、「確変１大当たり」、「確変２大当たり」、「確変３大当たり」及び「小当たり」の５つが規定されている。
【００４９】
通常大当たりとなったときは、特別図柄表示装置１０７ａ、１０７ｂにおいて特別図柄を遊技状態を時短状態にすることに対応した時短図柄で停止表示させるとともに、演出図柄表示装置１０４において演出図柄Ｚ１を遊技状態を時短状態にすることに対応した時短図柄で停止表示させるように制御する。演出図柄表示装置１０４において演出図柄Ｚ１を時短図柄で停止表示する場合、例えば、演出図柄表示装置１０４の第１から第３の領域Ｒ１、Ｒ２、Ｒ３において、「２２２」、「４４４」等の偶数の同一の数字が揃う組み合わせで第一の演出図柄Ｚ１を停止表示させる。また、通常大当たりとなったときは、当たり時における大入賞口１１５の最高開放回数、すなわちラウンドの最高継続回数が１５回となり、当たり後の１００回の抽選において時短作動状態となる。さらに、通常大当たりとなったときは、当たり終了後の遊技状態が低確率状態に設定される。
【００５０】
確変１大当たりとなったときは、特別図柄表示装置１０７ａ、１０７ｂにおいて特別図柄を確変１図柄で停止表示させるとともに、演出図柄表示装置１０４において演出図柄Ｚ１を確変１図柄で停止表示させるように制御する。演出図柄表示装置１０４において演出図柄Ｚ１を確変１図柄で停止表示する場合、例えば、演出図柄表示装置１０４の第１から第３の領域Ｒ１、Ｒ２、Ｒ３において、「１１１」、「３３３」、「５５５」といった奇数の同一の数字が揃う組み合わせで第一の演出図柄Ｚ１を停止表示させる。また、確変１大当たりとなったときは、ラウンドの最高継続回数が１５回となり、当たり後において時短作動状態となる。さらに、確変１大当たりとなったときは、当たり終了後の遊技状態が確率変動状態に設定される。
【００５１】
確変２大当たりとなったときは、特別図柄表示装置１０７ａ、１０７ｂにおいて特別図柄を確変２図柄で停止表示させるとともに、演出図柄表示装置１０４において演出図柄Ｚ１を確変２図柄で停止表示させるように制御する。また、確変２大当たりとなったときは、ラウンドの最高継続回数が２回となり、当たり後において時短作動状態となる。さらに、確変２大当たりとなったときは、当たり終了後の遊技状態が確率変動状態に設定される。
【００５２】
確変３大当たりとなったときは、特別図柄表示装置１０７ａ、１０７ｂにおいて特別図柄を確変３図柄で停止表示させるとともに、演出図柄表示装置１０４において演出図柄Ｚ１を確変３図柄で停止表示させるように制御する。また、確変３大当たりとなったときは、ラウンドの最高継続回数が２回となる。また、確変３大当たりとなったときは、当たり時（当たり発生を通知する図柄変動パターンが開始された時点）に時短未作動状態である場合は、当たり後において時短未作動状態となり、当たり時に時短作動状態である場合は、当たり後において時短作動状態を継続させる（時短継続制御）ように制御する。さらに、確変３大当たりとなったときは、当たり終了後の遊技状態が確率変動状態に設定される。
【００５３】
確変２大当たり、確変３大当たりは、１ラウンドの期間（大入賞口１１５の開放時間）が通常大当たりと比較して短く（数ｍｓ程度）、ラウンドの最高継続回数も２回しかないので、遊技者に対しては、当たりとならずに確率変動状態に突然移行したかのような意外性を与えることができる。
小当たりとなったときは、特別図柄表示装置１０７ａ、１０７ｂにおいて特別図柄を小当たり図柄で停止表示させるとともに、演出図柄表示装置１０４において演出図柄Ｚ１を小当たり図柄で停止表示させるように制御する。演出図柄表示装置１０４において停止表示される確変３図柄及び小当たり図柄は、１又は複数の特定の図柄の組み合わせからなり、両者を区別することができないようになっている。また、小当たりとなったときは、ラウンドの最高継続回数が２回となり、小当たり後において時短機能の作動、未作動が変化しないように制御する。さらに、小当たりとなったときは、小当たり終了後の遊技状態が、小当たり前の遊技状態と同じ遊技状態に設定される。
【００５４】
なお、当たりの種別は、上記種別に限られるものではなく、上記以外の別の種別を備える構成としても構わない。また、上記当たりの種別を全て備える必要はなく、その遊技機の特性に応じて、各当たりの種別を個々に組み合わせて構成することができる。
さらに、第一始動情報に基づいて生起され得る当たりの種別及び第二始動情報に基づいて生起され得る当たりの種別が互いに異なる構成とすることによって、より変化に富んだ遊技が提供され、遊技者の遊技意欲を向上させることができる。
【００５５】
次に、主制御基板２１０から副制御基板１５０に出力される制御コマンドの構造及び内容を説明する。
図１０は、制御コマンドのデータ構造を示す図である。
制御コマンドは、図１０に示すように、制御コマンドの分類を識別するための識別子で１バイト長のディジタルデータであるモード（ＭＯＤＥ）、及び実行される制御コマンドの内容（機能）を示す１バイト長のディジタルデータであるイベント（ＥＶＥＮＴ）からなる。
【００５６】
図１１は、制御コマンドの入出力タイミングを示すタイミングチャートである。
主制御基板２１０では、図１１に示すように、コマンド変化時に自身が生成するストローブ信号（ＤＵＳＴＢ）の１つ目の立ち上がりを契機として、モード（ＭＯＤＥ）データが出力され、次いでストローブ信号（ＤＵＳＴＢ）の２つ目の立ち上がりを契機として、イベント（ＥＶＥＮＴ）データが出力される。これに対応して、副制御基板１５０では、ＣＰＵにより、ストローブ信号（ＤＵＳＴＢ）の入力に応じて割込を発生させ、割込処理によって演出制御コマンドが副制御基板１５０のＲＡＭに格納される。
【００５７】
図１２は、主制御基板２１０から副制御基板１５０に出力される演出制御コマンドの内容を示す図である。
図１２に示すように、演出制御コマンドとしては、図柄指定コマンド、変動パターンコマンド、始動情報記憶数コマンド、演出開始コマンド、状態指定コマンド等がある。
図柄指定コマンドは、演出図柄表示装置１０４において停止表示される演出図柄Ｚ１の組み合わせを指定するコマンドである。具体的には、図柄指定コマンドは、演出図柄表示装置１０４において停止表示させる演出図柄Ｚ１として、はずれ演出図柄、時短図柄、確変１図柄、確変２図柄、確変３図柄及び小当たり図柄のいずれかを指定する。図柄指定コマンドは、演出図柄Ｚ１の変動開始時に出力される。ここで、演出図柄Ｚ１の変動開始時は、特別図柄の変動開始時とほぼ一致している。
【００５８】
変動パターンコマンドは、演出図柄表示装置１０４において表示する変動パターンとして、ｎ（ｎ＝１〜１０４）種類の変動パターンのうちいずれかを指定するためのコマンドである。変動パターンコマンドは、図柄指定コマンドとともに、演出図柄Ｚ１の変動開始時に出力される。
なお、変動パターンコマンドと図柄指定コマンドとは、どちらが先に出力される構成としても構わない。ただし、副制御基板１５０では、図柄指定コマンドの受信を契機として演出に関わる様々な抽選を実行することが好ましい。したがって、図柄指定コマンドが、変動パターンコマンドより先に出力される構成とすることが望ましい。これにより、副制御基板１５０において、変動パターンの選択決定等の制御を行う前に演出に関わる抽選を実行することができ、制御負担を大幅に軽減することができる。
【００５９】
始動情報記憶数コマンドは、正確な始動情報記憶数情報を主制御基板２１０以外の制御装置（副制御基板１５０等）に通知するためのコマンドである。ここで、始動情報記憶数コマンドは、第一始動情報記憶数及び第二始動情報記憶数のそれぞれを区別して通知する。すなわち、主制御基板２１０は、ＲＡＭ２４０の第一始動情報記憶領域に記憶されている第一始動情報の記憶数に応じた始動情報記憶数コマンドを副制御基板１５０に出力する。また、主制御基板２１０は、ＲＡＭ２４０の第二始動情報記憶領域に記憶されている第二始動情報の記憶数に応じた始動情報記憶数コマンドを副制御基板１５０に出力する。始動情報記憶数コマンドは、主制御基板２１０による第一始動情報記憶数及び第二始動情報記憶数それぞれの更新時に出力される。すなわち、始動情報記憶数コマンドは、第一始動情報記憶数及び第二始動情報記憶数それぞれについて、増加又は減少があったときに出力される。
【００６０】
演出開始コマンドは、ｍ（ｍ＝１〜９５）種類の１５Ｒ当たり（通常大当たり、確変１大当たり）の演出開始、確変２大当たりの演出開始、確変３大当たりの演出開始及び小当たりの演出開始をそれぞれ指定するためのコマンドである。演出開始コマンドは、当たり開始時に出力される。
状態指定コマンドは、時短の終了及び開始をそれぞれ指定するためのコマンドである。状態指定コマンドは、時短の終了時及び時短の開始時のそれぞれに出力される。
【００６１】
次に、主制御基板２１０で実行される遊技制御処理を説明する。
ＣＰＵ２２０は、マイクロプロセッシングユニット等からなり、所定の動作クロック（例えば、４［ｍｓ］）で１サイクルを実行可能な遊技制御プログラムに基づいて動作し、ＲＯＭ２３０の所定領域に格納されている遊技制御プログラムを起動させ、図１３のフローチャートに示す遊技制御処理を実行する。
【００６２】
まず、主制御基板２１０が実行する遊技制御処理を説明する。
図１３は、遊技制御処理を示すフローチャートである。
遊技制御処理は、ＣＰＵ２２０において実行されると、図１３に示すように、まず、ステップＳ１００に移行する。
ステップＳ１００では、遊技者の利益に直接影響する出玉の決定等に関わる各種乱数を更新する当たり決定乱数等更新処理を実行する。ここで、出玉の決定等に直接関わる各種乱数としては、当たりを生起させるか否かの当たり抽選に用いる乱数（以下、当たり決定乱数という）、当たり種別決定乱数、停止図柄決定乱数等がある。なお、当たり決定乱数等更新処理では、当たり決定乱数が一巡するたびに初期値を変化させることにより、当たり決定乱数値を容易に予測することができないようにしている。
【００６３】
次いで、ステップＳ１０２に移行して、演出に関わる演出制御用乱数（例えば、リーチ決定乱数、変動パターン決定乱数等）を更新する演出制御用乱数更新処理を実行し、ステップＳ１０４に移行する。
ステップＳ１０４では、入力ポート２５０を介して、各スイッチ１３１ａ、１３１ｂ、１３２、１３３からの信号を入力する入力処理を実行し、ステップＳ１０６に移行する。入力処理では、第一始動入賞口スイッチ１３１ａからの検出信号及び第二始動入賞口スイッチ１３１ｂからの検出信号を入力する。
【００６４】
ステップＳ１０６では、第１始動情報及び第２始動情報の記憶を更新する入賞スイッチ入力処理を実行し、ステップＳ１０８に移行する。
ステップＳ１０８では、当たりの判定を行うとともに演出図柄Ｚ１の変動パターンを決定する変動設定処理を実行し、ステップＳ１１０に移行する。
ステップＳ１１０では、大入賞口１１５を所定パターンで開放させる電動役物作動処理を実行し、ステップＳ１１２に移行する。
【００６５】
ステップＳ１１２では、賞球払出制御装置１５６に対して払出し動作を行わせるための制御コマンドをＲＡＭ２４０の所定領域に格納する賞球払出管理処理を実行し、ステップＳ１１４に移行する。
ステップＳ１１４では、遊技制御に関する外部情報信号をホールコンピュータ５００に出力する外部情報出力処理を実行し、ステップＳ１１６に移行する。
ステップＳ１１６では、パチンコ機１の検査に必要な遊技機検査信号を出力する遊技機検査信号出力処理を実行する。なお、場合によっては、ステップＳ１１６の処理は省略することもできる。
【００６６】
次いで、ステップＳ１１８に移行して、出力ポート２５５を介して、ＲＡＭ２４０に格納した制御コマンドを出力するポート出力処理を実行し、一連の処理を終了して元の処理に復帰させる。
ポート出力処理では、演出制御コマンドが、副制御基板１５０に対して出力される。この際、副制御基板１５０に対しては、まず、ストローブ信号を出力し、モード及びイベントからなる制御コマンドを出力する。また、ポート出力処理では、特別図柄表示装置１０７ａ、１０７ｂ、普通図柄表示装置１０６、大入賞口ソレノイド１５７、特別図柄始動情報記憶数表示装置１０９ａ、１０９ｂ、普通図柄始動情報記憶数表示装置１０３等へも主制御基板２１０からの制御情報が出力される。
【００６７】
次に、副制御基板１５０で実行される処理を説明する。
副制御基板１５０のＣＰＵは、所定の動作クロック（例えば、２［ｍｓ］）で１サイクルを実行可能な制御プログラムに基づいて動作し、ＲＯＭ２３０の所定領域に格納されている制御プログラムを起動させ、図１４のフローチャートに示す演出制御処理を繰り返し実行する。
図１４は、副制御基板１５０が実行する演出制御処理を示すフローチャートである。
演出制御処理は、副制御基板１５０のＣＰＵにおいて実行されると、図１４に示すように、まず、ステップＳ６００に移行する。
ステップＳ６００では、副制御基板１５０は、始動情報記憶数コマンドを受信する始動情報記憶数コマンド受信処理を実行し、ステップＳ６０２に移行する。
【００６８】
始動情報記憶数コマンド受信処理では、副制御基板１５０は、主制御基板２１０から始動情報記憶数コマンドを受信し、受信した始動情報記憶数コマンドが示す始動情報記憶数をＲＡＭの所定領域に記憶する。この際、副制御基板１５０は、主制御基板２１０から始動情報記憶数コマンドを受信するごとに、ＲＡＭの所定領域に記憶されている始動情報記憶数を更新する。ここで、副制御基板１５０は、ＲＡＭの所定領域において、第一始動情報記憶数及び第二始動情報記憶数を、それぞれ個別に記憶する。
【００６９】
また、副制御基板１５０は、受信した始動情報記憶数コマンドに対応する表示制御コマンド（以下、始動情報記憶数表示コマンドとする）を生成し、生成した始動情報記憶数表示コマンドを表示制御部１５１に送信する。
そして、表示制御部１５１は、始動情報記憶数表示コマンドを受信すると、該始動情報記憶数表示コマンドが示す始動情報記憶数を、演出図柄表示装置１０４の記憶数表示用ＬＥＤ（不図示）において表示させる。ここで、表示制御部１５１は、演出図柄表示装置１０４において、第一始動情報記憶数及び第二始動情報記憶数を、それぞれ個別に表示する。表示制御部１５１は、演出図柄表示装置１０４において表示される第一始動情報記憶数及び第二始動情報記憶数のそれぞれを、新たな始動情報記憶数表示コマンドを受信するまで維持する。
【００７０】
ステップＳ６０２では、副制御基板１５０は、変動パターンコマンドを受信する変動パターンコマンド受信処理を実行し、ステップＳ６０４に移行する。
変動パターンコマンド受信処理では、副制御基板１５０は、主制御基板２１０から変動パターンコマンドを受信する。そして、副制御基板１５０は、受信した変動パターンコマンドに対応する表示制御コマンド（以下、変動パターン表示コマンドとする）を生成し、生成した変動パターン表示コマンドを表示制御部１５１に送信する。
このとき、本実施形態においては、副制御基板１５０が演出図柄Ｚ１の変動パターンを決定し、その変動パターンを示す表示制御コマンドを生成する。
【００７１】
そして、表示制御部１５１は、変動パターン表示コマンドを受信すると、演出図柄表示装置１０４において変動パターン表示コマンドで指定されている変動パターンによる演出図柄Ｚ１の変動表示を開始させる。
ステップＳ６０４では、副制御基板１５０は、図柄指定コマンドを受信する図柄指定コマンド受信処理を実行し、ステップＳ６０６に移行する。
図柄指定コマンド受信処理では、副制御基板１５０は、主制御基板２１０から図柄指定コマンドを受信する。そして、副制御基板１５０は、受信した図柄指定コマンドに対応する表示制御コマンド（以下、停止図柄表示コマンドとする）を生成し、生成した停止図柄表示コマンドを表示制御部１５１に送信する。
【００７２】
表示制御部１５１は、既に変動表示を開始した変動パターンによる変動を終了した後、ステップＳ６０４で受信した停止図柄表示コマンドで指定されている組み合わせで、演出図柄Ｚ１を停止表示させる。この際、変動パターン毎に変動時間は一定となっているが、同期調整ステップで図柄の送り枚数を調整し、停止予定タイミングで停止図柄表示コマンドによって指定されている組み合わせで停止表示させる。
【００７３】
ステップＳ６０６では、副制御基板１５０は、演出開始コマンドを受信する演出開始コマンド受信処理を実行し、一連の処理を終了して元の処理に復帰させる。
演出開始コマンド受信処理では、副制御基板１５０は、主制御基板２１０から演出開始コマンドを受信して、受信した演出開始コマンドに応じて当たり演出を実行する。
図１５は、シリアル伝送方式を説明するための説明図である。
【００７４】
副制御基板１５０の表示制御部１５１から中継基板１８０への信号の伝送方式はパラレル伝送方式とする。パラレル伝送方式とは、複数本の信号線（つまり、複数の物理的な伝送路）１５８（第１通信手段）を介してデータを一度に複数ビット伝送する方式である。伝送されるデータは、ドライバ用ＩＣ１８１の制御信号を量子化したデータである。すなわち、左リールモータ１９１、中リールモータ１９５、及び右リールモータ１９９を動作させる制御信号を生成するドライバ用ＩＣ１８１の制御信号は、副制御基板１５０から中継基板１８０に直接つながるリールモータ制御の専用線によってパラレル方式で一方向（つまり、副制御基板１５０から中継基板１８０に向かう方向）に送信される。
【００７５】
また、副制御基板１５０の表示制御部１５１、ランプ制御部１５２及び可動役物制御部１５３から第１ドライバ基板１６０への信号の伝送方式はシリアル伝送方式とする。シリアル伝送方式とは、１本の信号線（つまり、１つの物理的な通信路）１５９（第２通信手段）を介して複数のデータを１ビットずつ順番に伝送する方式である。例えば、図１５に示すように、第１信号、第２信号、第３信号を伝送する場合には、まず、第１信号、第２信号、第３信号を１ビットずつ順次送信する。第３信号の送信を終えると、再度、第１信号、第２信号、第３信号を１ビットずつ順次送信する。以降同様に、第３信号の送信を終えるたびに、第１信号、第２信号、第３信号を１ビットずつ順次送信する。伝送されるデータは、ドライバ用ＩＣ１６１、１７１の制御信号を量子化したデータである。すなわち、左リールモータ１９１、中リールモータ１９５及び右リールモータ１９９以外の電気部品を動作させる制御信号を生成するドライバ用ＩＣ１６１、１７１の制御信号は、副制御基板１５０から第１ドライバ基板１６０に直接つながる共用線によってシリアル方式で送信される。
【００７６】
このように、本実施形態では、演出図柄表示装置１０４の電気部品のうち、左リールモータ１９１、中リールモータ１９５、及び右リールモータ１９９以外の電気部品のドライバ用ＩＣ１６１、１７１の制御信号をシリアル伝送方式で伝送するようにした。すなわち、ノイズの影響を受けても支障が少ない電飾基板等のドライバ用ＩＣ１６１の制御信号の通信をシリアル信号で行うようにした。それゆえ、例えば、パラレル伝送方式を採用する場合に比べ、回路数及び信号線数を低減できる。そのため、パチンコ機１の制御部をより小型化することができ、製造コストをより低減することができる。
【００７７】
ちなみに、すべての制御信号の伝送にパラレル伝送方式を採用する方法では、回路数及び信号線の数が増大する。それゆえ、制御部が大型化する可能性がある。
また、本実施形態では、左リールモータ１９１、中リールモータ１９５、及び右リールモータ１９９を動作させるドライバ用ＩＣ１８１の制御信号（つまり、励磁パターンのデータを表す信号）をパラレル伝送方式で伝送するようにした。すなわち、ノイズの影響を受けて変動すると大当たり抽選の判定結果が誤って通知される可能性があるリール３５０Ａ、３５０Ｂ、３５０Ｃの制御信号の通信をパラレル信号で行うようにした。それゆえ、シリアル伝送方式を採用する方法と異なり、左リールモータ１９１、中リールモータ１９５、及び右リールモータ１９９の制御信号にノイズが混入しても、制御信号の変動を比較的短時間で解消でき、混入したノイズによるリールの誤動作を抑制できる。
【００７８】
図１６は、比較例となる制御信号を説明するための説明図である。
ちなみに、左リールモータ１９１、中リールモータ１９５、及び右リールモータ１９９のドライバ用ＩＣ１８１の制御信号の伝送にシリアル伝送方式を採用する方法では、シリアル伝送方式によって１本の信号線１５９に流れる信号（つまり、シリアル信号）にシリパラ変換を行うことになる。シリパラ変換とは、シリアル信号を複数のパラレル信号に変換する信号変換である。複数のパラレル信号のそれぞれは、元の複数のデータそれぞれに対応する信号となる。例えば、図１６に示すように、シリアル信号で第１信号、第２信号、第３信号の伝送が行われている場合には、まず、第１信号、第２信号、第３信号を１ビットずつ順次受信し、受信した第１信号、第２信号、第３信号をラッチし、ラッチした信号を第１信号、第２信号、第３信号それぞれのパラレル信号として継続して出力する。第３信号の受信を終えると、再度、第１信号、第２信号、第３信号を１ビットずつ順次受信し、受信した第１信号、第２信号、第３信号をラッチし、ラッチした信号を第１信号、第２信号、第３信号それぞれのパラレル信号として継続して出力する。以降同様に、第３信号の送信を終えるたびに、第１信号、第２信号、第３信号を１ビットずつ順次受信し、受信した第１信号、第２信号、第３信号をラッチし、ラッチした信号を第１信号、第２信号、第３信号それぞれのパラレル信号として継続して出力する。そのため、ラッチした制御信号がノイズで変動していた場合、あるいはラッチした制御信号がラッチ後にノイズで変動した場合には、新しい制御信号がラッチされるまでの間は変動した制御信号が継続して出力されることになる。その結果、シリパラ変換後のパラレル信号にノイズの影響が比較的長い時間現れ、パチンコ機１が異常な挙動をする可能性がある。
【００７９】
特に、左リールモータ１９１、中リールモータ１９５、及び右リールモータ１９９の制御信号がノイズで変動した場合には、左リールモータ１９１、中リールモータ１９５、及び右リールモータ１９９が異常な挙動をすることで、大当たり抽選の判定結果が誤って通知される可能性がある。その結果、遊技者に違和感を与える可能性がある。遊技者にとっては当たり外れが通知される演出図柄を表示したリールの動きには非常に注目が集まるために、リールに対する不自然な動作や誤動作等は遊技店との間でトラブルのもとになることもあるので、ノイズの影響を最小限にとどめることが必要とされる。それゆえ、本実施形態では、左リールモータ１９１、中リールモータ１９５、及び右リールモータ１９９を動作させるドライバ用ＩＣ１８１の制御信号の伝送にパラレル伝送方式を採用する。
【００８０】
また、副制御基板１５０は、第１ドライバ基板１６０から送信される信号を１本の信号線（つまり、１つの物理的な通信路）１５９（第２通信手段）を介して受信する。第１ドライバ基板１６０から副制御基板１５０への信号の伝送方式はシリアル伝送方式とする。すなわち、副制御基板１５０と第１ドライバ基板１６０とは双方向に信号の送信が可能なシリアル伝送方式となっている。伝送されるデータは、位置検出センサ１６４による検出結果、左リールモータ位置検出センサ１９２による検出結果、中リールモータ位置検出センサ１９６による検出結果、及び右リールモータ位置検出センサ２００による検出結果を含む。なお、不正防止を目的とした近接センサや電波センサが設けられる場合には、そのセンサの検出結果の信号も送信されるものである。
【００８１】
第１ドライバ基板１６０は、副制御基板１５０から送信されるシリアル信号にシリパラ変換を行う。これにより、パラレル信号として、ドライバ用ＩＣ１６１の制御信号を生成する。また、第１ドライバ基板１６０は、ドライバ用ＩＣ１６１を備える。ドライバ用ＩＣ１６１は、第１ドライバ基板１６０が生成したパラレル信号（つまり、ドライバ用ＩＣ１６１の制御信号）に従って、第１電飾基板１６２の制御信号、モータ１６３の制御信号、左リール電飾基板１９３の制御信号、中リール電飾基板１９７の制御信号、及び右リール電飾基板２０１の制御信号を生成する。また、第１ドライバ基板１６０は、ドライバ用ＩＣ１６１が生成した左リール電飾基板１９３の制御信号、中リール電飾基板１９７の制御信号、及び右リール電飾基板２０１の制御信号を複数本の信号線１６５（第２通信手段）を介して中継基板１８０に送信する。同時に、第１ドライバ基板１６０は、第１電飾基板１６２の制御信号を当該第１電飾基板１６２に送信し、モータ１６３の制御信号を当該モータ１６３に送信する。さらに、第１ドライバ基板１６０は、副制御基板１５０から送信されるシリアル信号をそのままシリアル信号として第２ドライバ基板１７０に送信する。なお、第２ドライバ基板１７０に関しては、制御のための入出力ポートの数が第１ドライバ基板１６０だけで十分であれば、省略することも可能である。
【００８２】
また、第１ドライバ基板１６０は、中継基板１８０から送信される信号を複数本の信号線（つまり、複数の物理的な通信路）１６５を介して受信する。中継基板１８０から第１ドライバ基板１６０への信号の伝送方式はパラレル伝送方式とする。すなわち、第１ドライバ基板１６０と中継基板１８０とは双方向に信号の送信が可能なパラレル伝送方式となっている。伝送されるデータは、左リールモータ位置検出センサ１９２による検出結果、中リールモータ位置検出センサ１９６による検出結果、及び右リールモータ位置検出センサ２００による検出結果を含む。
【００８３】
さらに、第１ドライバ基板１６０は、位置検出センサ１６４から送信されるパラレル信号、及び中継基板１８０から送信されるパラレル信号にパラシリ変換を行う。パラシリ変換とは複数のパラレル信号を１つのシリアル信号に変換する信号変換である。続いて、第１ドライバ基板１６０は、変換したシリアル信号を１本の信号線１５９（つまり、１つの物理的な通信路）を介して副制御基板１５０に送信する。なお、１本の信号線１５９としているのは、副制御基板１５０を汎用的に使用させるため、副制御基板１５０と第１ドライバ基板１６０との間に入出力ポート（コネクタ）を一つ固定的に配置して共通化させているためであって、汎用性を持たせる必要がなければ、入出力ポート（コネクタ）を複数備えるものであってもよい。また、第１ドライバ基板１６０は、副制御基板１５０と異なり、制御コマンドを解析して動作するものではないため、制御コマンドを解析するためのＣＰＵを備えない。
【００８４】
第１電飾基板１６２は、第１ドライバ基板１６０から送信される制御信号に従って、遊技盤面１０２に配されたＬＥＤ(不図示)の点灯・消灯を制御する。
モータ１６３は、第１ドライバ基板１６０から送信される制御信号に従って、遊技盤面１０２に配された可動役物（不図示）の構成部品の動作を制御する。モータ１６３としては、パルス電力に同期して動作するステッピングモータを採用する。
位置検出センサ１６４は、パチンコ機１の遊技盤面１０２に配された可動役物の構成部品の動作を検出し、検出結果を表すパラレル信号を第１ドライバ基板１６０に送信する。
【００８５】
第２ドライバ基板１７０は、第１ドライバ基板１６０から送信されるシリアル信号にシリパラ変換を行う。これにより、パラレル信号として、ドライバ用ＩＣ１７１の制御信号を生成する。また、第２ドライバ基板１７０は、ドライバ用ＩＣ１７１を備える。ドライバ用ＩＣ１７１は、第２ドライバ基板１７０が生成したパラレル信号（つまり、ドライバ用ＩＣ１７１の制御信号）に従って、第２電飾基板１７２の制御信号、及びソレノイド１７３の制御信号を生成する。また、第２ドライバ基板１７０は、ドライバ用ＩＣ１７１が生成した第２電飾基板１７２の制御信号を当該第２電飾基板１７２に送信し、ソレノイド１７３の制御信号を当該ソレノイド１７３に送信する。
【００８６】
第２電飾基板１７２は、第２ドライバ基板１７０から送信される制御信号に従って、第１電飾基板１６２によって制御されるＬＥＤとは異なるＬＥＤであって、遊技盤面１０２に配されたＬＥＤ（不図示）の点灯・消灯を制御する。
ソレノイド１７３は、第２ドライバ基板１７０から送信される制御信号に従って、モータ１６３によって制御される可動役物の構成部品とは異なる可動役物であって、遊技盤面１０２に配された可動役物（不図示）の構成部品の動作を制御する。
【００８７】
中継基板１８０は、ドライバ用ＩＣ１８１を備える。ドライバ用ＩＣ１８１は、副制御基板１５０から送信されるパラレル信号（つまり、ドライバ用ＩＣ１８１の制御信号）に従って、左リールパラレル信号、中リールパラレル信号、及び右リールパラレル信号を生成する。左リールパラレル信号とは、左リールモータ１９１の制御信号である。また、中リールパラレル信号とは、中リールモータ１９５の制御信号である。さらに、右リールパラレル信号とは、右リールモータ１９９の制御信号である。なお、各リールモータ１９１、１９５、１９９の制御信号には、各リールモータ１９１、１９５、１９９に対して、モータ動作（運転・停止）、動作時間、励磁方法、モータ回転方向（正転・逆転）、モータ回転速度（ppm）等のモータ制御データに関する情報を含むものである。また、中継基板１８０は、ドライバ用ＩＣ１８１が生成した左リールパラレル信号を複数本の信号線１８３を介して左リール中継基板１９０に送信し、中リールパラレル信号を複数本の信号線１８５を介して中リール中継基板１９４に送信し、右リールパラレル信号を複数本の信号線１８７を介して右リール中継基板１９８に送信する。また、中継基板１８０は、第１ドライバ基板１６０から送信される左リール電飾基板１９３の制御信号を複数本の信号線１８３を介して当該左リール中継基板１９０に送信し、中リール電飾基板１９７の制御信号を複数本の信号線１８５を介して当該中リール中継基板１９４に送信し、右リール電飾基板２０１の制御信号を複数本の信号線１８７を介して当該右リール中継基板１９８に送信する。中継基板１８０から左リール電飾基板１９３、中リール電飾基板１９７及び右リール電飾基板２０１への信号の伝送方式はパラレル伝送方式とする。
【００８８】
さらに、中継基板１８０は、左リール中継基板１９０、中リール中継基板１９４、右リール中継基板１９８から送信される信号を複数本の信号線１８４、１８６、１８８を介して受信する。左リール中継基板１９０、中リール中継基板１９４、右リール中継基板１９８から中継基板１８０への信号の伝送方式はパラレル伝送方式とする。伝送されるデータは、左リールモータ位置検出センサ１９２による検出結果、中リールモータ位置検出センサ１９６による検出結果、及び右リールモータ位置検出センサ２００による検出結果を含む。また、中継基板１８０は、左リール中継基板１９０から送信される信号、中リール中継基板１９４から送信される信号、及び右リール中継基板１９８から送信される信号のそれぞれを複数の信号線１６５を介して第１ドライバ基板１６０に送信する。
【００８９】
左リール中継基板１９０は、中継基板１８０から送信される左リールパラレル信号を左リールモータ１９１に送信し、中継基板１８０から送信される左リール電飾基板１９３の制御信号を当該左リール電飾基板１９３に送信する。また、左リール中継基板１９０は、左リールモータ位置検出センサ１９２から送信される信号を中継基板１８０に送信する。
左リールモータ１９１は、左リール中継基板１９０から送信される左リールパラレル信号に従って、リール３５０Ａを回転させた後に停止させ、停止時に表示窓３１４の領域Ｒ１に、大当たり状態を生起するか否かの抽選結果を通知する図柄をリール３５０Ａに表示させる。左リールモータ１９１としては、ステッピングモータを採用する。
【００９０】
左リール電飾基板１９３は、左リール中継基板１９０から送信される左リール電飾基板１９３の制御信号に従ってリール３５０Ａに配置されたＬＥＤの点灯・消灯を制御する。
左リールモータ位置検出センサ１９２は、左リールモータ１９１の回転角度を検出し、検出結果を表すパラレル信号を左リール中継基板１９０に送信する。
中リール中継基板１９４は、中継基板１８０から送信される中リールパラレル信号を中リールモータ１９５に送信し、中継基板１８０から送信される中リール電飾基板１９７の制御信号を当該中リール電飾基板１９７に送信する。また、中リール中継基板１９４は、中リールモータ位置検出センサ１９６から送信される信号を中継基板１８０に送信する。
【００９１】
中リールモータ１９５は、中リール中継基板１９４から送信される中リールパラレル信号に従って、リール３５０Ｂを回転させた後に停止させ、停止時に表示窓３１４の領域Ｒ２に、大当たり状態を生起するか否かの抽選結果を通知する図柄をリール３５０Ｂに表示させる。中リールモータ１９５としては、ステッピングモータを採用する。
中リール電飾基板１９７は、中リール中継基板１９４から送信される中リール電飾基板１９７の制御信号に従ってリール３５０Ｂに配置されたＬＥＤの点灯・消灯を制御する。
【００９２】
中リールモータ位置検出センサ１９６は、中リールモータ１９５の回転角度を検出し、検出結果を表すパラレル信号を中リール中継基板１９４に送信する。
右リール中継基板１９８は、中継基板１８０から送信される右リールパラレル信号を右リールモータ１９９に送信し、中継基板１８０から送信される右リール電飾基板２０１の制御信号を当該右リール電飾基板２０１に送信する。また、右リール中継基板１９８は、右リールモータ位置検出センサ２００から送信される信号を中継基板１８０に送信する。
【００９３】
なお、左リール中継基板１９０、中リール中継基板１９４、及び右リール中継基板１９８は、第１ドライバ基板１６０、第２ドライバ基板１７０、及び中継基板１８０と異なり、ドライバ用ＩＣを備えない。それゆえ、左リール中継基板１９０、中リール中継基板１９４、及び右リール中継基板１９８を小型化することができる。その結果、演出図柄表示装置１０４を小型化することができ、製造コストを低減することができる。
【００９４】
右リールモータ１９９は、右リール中継基板１９８から送信される右リールパラレル信号に従って、リール３５０Ｃを回転させた後に停止させ、停止時に表示窓３１４の領域Ｒ３に、大当たり状態を生起するか否かの抽選結果を通知する図柄をリール３５０Ｃに表示させる。右リールモータ１９９としては、ステッピングモータを採用する。
右リール電飾基板２０１は、右リール中継基板１９８から送信される右リール電飾基板２０１の制御信号に従ってリール３５０Ｃに配置されたＬＥＤの点灯・消灯を制御する。
右リールモータ位置検出センサ２００は、右リールモータ１９９の回転角度を検出し、検出結果を表すパラレル信号を右リール中継基板１９８に送信する。
第３電飾基板１８２は、中継基板１８０から送信される制御信号に従って、遊技盤面１０２に配されたＬＥＤ（不図示）の点灯・消灯を制御する。
【００９５】
（動作）
次に、本実施形態のパチンコ機１の動作について説明する。
まず、遊技球が始動口１１１ａ、１１１ｂに入球すると、主制御基板２１０が、大当り状態を生起させるか否かの判定（抽選）を行う。続いて、主制御基板２１０が、判定結果に応じた制御コマンド（例えば、変動パターンコマンド、演出図柄指定コマンド）を副制御基板１５０に送信する。続いて、副制御基板１５０が、送信された制御コマンドを解析し、解析結果に基づき、制御コマンドに応じた演出（例えば、抽選に当選したことを通知する演出、抽選に外れたことを通知する演出）の実行を指示するドライバ用ＩＣ１８１の制御信号を中継基板１８０に送信する。また、副制御基板１５０が、ドライバ用ＩＣ１６１、１７１の制御信号を第１ドライバ基板１６０に送信する。副制御基板１５０から中継基板１８０への信号の伝送にはパラレル伝送方式が採用される。また、副制御基板１５０から第１ドライバ基板１６０への信号の伝送にはシリアル伝送方式が採用される。
【００９６】
このように、本実施形態では、ドライバ用ＩＣ１８１の制御信号の伝送にパラレル伝送方式を採用した。それゆえ、ドライバ用ＩＣ１８１（つまり、左リールモータ１９１、中リールモータ１９５、及び右リールモータ１９９の制御信号を生成するドライバ）の制御信号にノイズが混入しても、混入したノイズによるリールの誤動作を抑制できる。
また、本実施形態では、ドライバ用ＩＣ１６１（つまり、左リール電飾基板１９３、中リール電飾基板１９７及び右リール電飾基板２０１の制御信号を生成するドライバ）の制御信号の伝送にシリアル伝送方式を採用した。それゆえ、例えば、パラレル伝送方式を採用する場合に比べ、パチンコ機１の制御部の回路数及び信号線数を低減できる。そのため、制御部をより小型化することができ、製造コストをより低減することができる。
【００９７】
副制御基板１５０がドライバ用ＩＣ１８１の制御信号を送信すると、中継基板１８０のドライバ用ＩＣ１８１が、送信された制御信号に従って左リールパラレル信号、中リールパラレル信号及び右リールパラレル信号を生成する。続いて、中継基板１８０が、生成した左リールパラレル信号を左リール中継基板１９０に送信し、中リールパラレル信号を中リール中継基板１９４に送信し、右リールパラレル信号を右リール中継基板１９８に送信する。続いて、左リール中継基板１９０が、送信された左リールパラレル信号を左リールモータ１９１に送信する。続いて、左リールモータ１９１が、送信された左リールパラレル信号に従って、リール３５０Ａを回転させた後に停止させ、大当たり状態を生起するか否かの抽選結果を通知する図柄を表示窓３１４の領域Ｒ１に表示させる。
【００９８】
さらに、中継基板１８０が中リールパラレル信号を送信すると、中リール中継基板１９４が、送信された中リールパラレル信号を中リールモータ１９５に送信する。続いて、中リールモータ１９５が、送信された中リールパラレル信号に従って、リール３５０Ｂを回転させた後に停止させ、大当たり状態を生起するか否かの抽選結果を通知する図柄を表示窓３１４の領域Ｒ２に表示させる。また、中継基板１８０が右リールパラレル信号を送信すると、右リール中継基板１９８が、送信された右リールパラレル信号を右リールモータ１９９に送信する。続いて、右リールモータ１９９が、送信された右リールパラレル信号に従って、リール３５０Ｃを回転させた後に停止させ、大当たり状態を生起するか否かの抽選結果を通知する図柄を表示窓３１４の領域Ｒ３に表示させる。
【００９９】
一方、副制御基板１５０がドライバ用ＩＣ１６１、１７１の制御信号を送信すると、第１ドライバ基板１６０が、送信された制御信号にシリパラ変換を行う。続いて、第１ドライバ基板１６０のドライバ用ＩＣ１６１が、シリパラ変換によって生成されたドライバ用ＩＣ１６１の制御信号に従って第１電飾基板１６２の制御信号、モータ１６３の制御信号、左リール電飾基板１９３の制御信号、中リール電飾基板１９７の制御信号、及び右リール電飾基板２０１の制御信号を生成する。続いて、第１ドライバ基板１６０が、ドライバ用ＩＣ１６１が生成した左リール電飾基板１９３の制御信号、中リール電飾基板１９７の制御信号及び右リール電飾基板２０１の制御信号を中継基板１８０に送信する。
【０１００】
第１ドライバ基板１６０が左リール電飾基板１９３の制御信号、中リール電飾基板１９７の制御信号及び右リール電飾基板２０１の制御信号を送信すると、中継基板１８０が、送信された制御信号のうち、左リール電飾基板１９３の制御信号を左リール中継基板１９０に送信し、中リール電飾基板１９７の制御信号を中リール中継基板１９４に送信し、右リール電飾基板２０１の制御信号を右リール中継基板１９８に送信する。
中継基板１８０が左リール電飾基板１９３の制御信号を送信すると、左リール中継基板１９０が、送信された制御信号を左リール電飾基板１９３に送信する。続いて、左リール電飾基板１９３が、送信された左リール電飾基板１９３の制御信号に従って、リール３５０Ａに配置されたＬＥＤの点灯・消灯を制御する。
【０１０１】
また、中継基板１８０が中リール電飾基板１９７の制御信号を送信すると、中リール中継基板１９４が、送信された制御信号を中リール電飾基板１９７に送信する。続いて、中リール電飾基板１９７が、送信された中リール電飾基板１９７の制御信号に従って、リール３５０Ｂに配置されたＬＥＤの点灯・消灯を制御する。
また、中継基板１８０が右リール電飾基板２０１の制御信号を送信すると、右リール中継基板１９８が、送信された制御信号を右リール電飾基板２０１に送信する。続いて、右リール電飾基板２０１が、送信された右リール電飾基板２０１の制御信号に従ってリール３５０Ｃに配置されたＬＥＤの点灯・消灯を制御する。
【０１０２】
このように、本実施形態では、ドライバ用ＩＣ１６１、１７１を、演出図柄表示装置１０４と別体とした。それゆえ、左リールモータ１９１、左リール電飾基板１９３、中リールモータ１９５、中リール電飾基板１９７、右リールモータ１９９、及び右リール電飾基板２０１を動作させる回路を演出図柄表示装置１０４に設けずに済む。そのため、演出図柄表示装置１０４の回路数を低減でき、演出図柄表示装置１０４をより小型化できる。
【０１０３】
また、本実施形態では、副制御基板１５０から中継基板１８０へは、一方向にのみ信号の送信が可能とし、副制御基板１５０と第１ドライバ基板１６０との間、及び第１ドライバ基板１６０と中継基板１８０との間は、双方向に信号の送信が可能とした。それゆえ、第１ドライバ基板１６０を介して中継基板１８０から副制御基板１５０に信号を送信することができる。
【０１０４】
なお、本実施形態では、図１のパチンコ機１が遊技機を構成する。以下同様に、図６、図７の主制御基板２１０が主制御部を構成する。また、図６、図７の副制御基板１５０が副制御部を構成する。さらに、図７のドライバ用ＩＣ１６１が第２駆動手段を構成する。また、図７のドライバ用ＩＣ１８１が第１駆動手段を構成する。さらに、図７の左リール中継基板１９０がリール中継基板を構成する。また、図７の中リール中継基板１９４がリール中継基板を構成する。さらに、図７の右リール中継基板１９８がリール中継基板を構成する。また、図１の第一始動入賞口１１１ａ及び第二始動入賞口１１１ｂが始動口を構成する。
【符号の説明】
【０１０５】
１      パチンコ機（広義には「遊技機」）
１０、１０Ａ、１０Ｂ、１０Ｃ    リールユニット
１１１ａ  第一始動入賞口（広義には「始動口」）
１１１ｂ  第二始動入賞口（広義には「始動口」）
１５０      副制御基板（広義には「副制御部」）
１６０      第１ドライバ基板
１６１    ドライバ用ＩＣ（広義には「第２駆動手段」）
１８０    中継基板
１８１  ドライバ用ＩＣ（広義には「第１駆動手段」）
１９０    左リール中継基板（広義には「リール中継基板」）
１９１    左リールモータ
１９４    中リール中継基板（広義には「リール中継基板」）
１９５    中リールモータ
１９８    右リール中継基板（広義には「リール中継基板」）
１９９    右リールモータ
２１０      主制御基板（広義には「主制御部」）
【図１】
0005685091.tif 000002
【図２】
0005685091.tif 000003
【図３】
0005685091.tif 000004
【図４】
0005685091.tif 000005
【図５】
0005685091.tif 000006
【図６】
0005685091.tif 000007
【図７】
0005685091.tif 000008
【図８】
0005685091.tif 000009
【図９】
0005685091.tif 000010
【図１０】
0005685091.tif 000011
【図１１】
0005685091.tif 000012
【図１２】
0005685091.tif 000013
【図１３】
0005685091.tif 000014
【図１４】
0005685091.tif 000015
【図１５】
0005685091.tif 000016
【図１６】
0005685091.tif 000017